(57)【要約】【課題】燃料電池内部の水分布を均一化することを可能とした燃料電池を提供する。【解決手段】電解質膜１１ならびに電解質膜１１の両面にそれぞれ順に配置された触媒層１２およびガス拡散層１３を有する膜／電極接合体１０と、膜／電極接合体１０を挟持する一対のセパレータ２０とを備え、セパレータ２０は、ガス拡散層１３に沿って反応ガスを流通させる流路２０ａを有し、触媒層１２は、流路２０ａに対向して配置される第一の触媒層１２ａと、流路２０ａの壁面を形成するリブ２０ｂに対向して配置される第二の触媒層１２ｂとを有し、第二の触媒層１２ｂを、第一の触媒層１２ａよりも空隙率が大きくなるようにした。【選択図】図１
2018097948.tif 000002
【特許請求の範囲】
【請求項１】
電解質膜ならびに前記電解質膜の両面にそれぞれ順に配置された触媒層およびガス拡散層を有する接合体と、
前記接合体を挟持する一対のセパレータと
を備え、
前記セパレータは、前記ガス拡散層に沿って反応ガスを流通させる流路を有し、
前記電解質膜の少なくとも一方の面に配置される前記触媒層は、前記流路に対向して配置される第一の触媒層と、前記流路の壁面を形成するリブに対向して配置される第二の触媒層とを有し、
前記第二の触媒層は、前記第一の触媒層よりも空隙率が大きい
ことを特徴とする燃料電池。
【請求項２】
前記セパレータは、前記反応ガスの入口側から出口側へ向かって延び、相互に離間して並設される複数の前記流路を有し、
前記第一の触媒層および前記第二の触媒層の少なくとも一方は、前記反応ガスの入口側から前記反応ガスの出口側へ向かうに従って空隙率が大きくなっている
ことを特徴とする請求項１記載の燃料電池。
【請求項３】
前記接合体は、表面が鉛直方向に沿うように配置され、
前記セパレータは、水平方向に沿って延び、相互に離間して並設される複数の前記流路を有し、
前記第一の触媒層および前記第二の触媒層の少なくとも一方は、上部側に配置されたものに対して下部側に配置されたものの空隙率が大きくなっている
ことを特徴とする請求項１または請求項２記載の燃料電池。
【発明の詳細な説明】
【技術分野】
【０００１】
本発明は、燃料電池に関する。
【背景技術】
【０００２】
従来、燃料電池の一つとして、高分子膜を電解質として用いる固体高分子形燃料電池が知られている。固体高分子形燃料電池は、一般的に膜／電極接合体をセパレータで挟持してなる単セルを複数積層して用いられる。膜／電極接合体は、電解質と、当該電解質の両面に順に形成された触媒層及びガス拡散層とを有し、セパレータとしては、膜／電極接合体の表面に沿って反応流体を流通させる流路が形成されたものが知られている。
【０００３】
このような固体高分子形燃料電池に関し、下記特許文献１には、固体高分子形燃料電池の一形態であるダイレクトメタノール燃料電池において、このダイレクトメタノール燃料電池の小型化に伴うセパレータの薄型化により、流路の断面積が小さく、流路にかかる圧力が大きくなったことなどを要因として、反応流体としてのメタノール水溶液や空気が正規の流路を通らず、隣り合う流路にガス拡散層を介して平面方向へ拡散して流通してしまう、いわゆる、ショートカット現象を抑制するため、ガス拡散層の、セパレータの流路の壁面を形成するリブ部に接触する領域の密度に対し、流路に接触する領域の密度を大きくすることが開示されている。
【０００４】
また、下記特許文献２には、多孔質構造の触媒層内に水分が多量に滞留し、空隙を閉塞して供給ガス（反応流体）の拡散が阻害されることにより電気化学的反応が妨げられ、結果として発電性能が低下することを防止するため、触媒層の空隙率を、供給ガスの入口側から出口側に向かって増加させるようにした燃料電池が開示されている。
【先行技術文献】
【特許文献】
【０００５】
【特許文献１】特開２００５−２９３９６６号公報
【特許文献２】特開２００７−２６７８３号公報
【発明の概要】
【発明が解決しようとする課題】
【０００６】
ここで、例えば燃料電池に供給される燃料がガスである場合、燃料ガスの反応により生成される液体（水）は、触媒層の流路に対向している部分とリブに対向している部分とで比較すると、流路に対向している部分で排水されやすく、リブに対向している部分で滞留しやすくなる。しかしながら、このように燃料電池の内部で水が滞留しやすい部分と滞留しにくい部分とがあると、触媒層における水分布が不均一になり、水が滞留しやすい部分では水が滞留してガス拡散が阻害されるおそれがあり、水が排出されやすい部分では過剰な排水により電解質膜が乾燥して抵抗が増加するおそれがあるなど、出力性能の低下および不安定化に繋がる可能性があった。
【０００７】
このようなことから本発明は、燃料電池内部の水分布を均一化することを可能とした燃料電池用触媒層を提供することを目的とする。
【課題を解決するための手段】
【０００８】
上記の課題を解決するための第１の発明に係る燃料電池は、電解質膜ならびに前記電解質膜の両面にそれぞれ順に配置された触媒層およびガス拡散層を有する接合体と、前記接合体を挟持する一対のセパレータとを備え、前記セパレータは、前記ガス拡散層に沿って反応ガスを流通させる流路を有し、前記電解質膜の少なくとも一方の面に配置される前記触媒層は、前記流路に対向して配置される第一の触媒層と、前記流路の壁面を形成するリブに対向して配置される第二の触媒層とを有し、前記第二の触媒層は、前記第一の触媒層よりも空隙率が大きいことを特徴とする。
【０００９】
また、上記の課題を解決するための第２の発明に係る燃料電池は、前記セパレータは、前記反応ガスの入口側から出口側へ向かって延び、相互に離間して並設される複数の前記流路を有し、前記第一の触媒層および前記第二の触媒層の少なくとも一方は、前記反応ガスの入口側から前記反応ガスの出口側へ向かうに従って空隙率が大きくなっていることを特徴とする。
【００１０】
また、上記の課題を解決するための第３の発明に係る燃料電池は、前記接合体は、表面が鉛直方向に沿うように配置され、前記セパレータは、水平方向に沿って延び、相互に離間して並設される複数の前記流路を有し、前記第一の触媒層および前記第二の触媒層の少なくとも一方は、上部側に配置されたものに対して下部側に配置されたものの空隙率が大きくなっていることを特徴とする。
【発明の効果】
【００１１】
本発明に係る燃料電池によれば、触媒層の反応ガスによって反応水が排出されやすい流路に対向する部分に対し、反応水が滞留しやすいリブに対向する部分の空隙率を大きくすることによって、触媒層内の水分布を均一化することができるので、水が滞留しやすい部分では水を排出しやすくすることで適度にガスを拡散し、水が排出されやすい部分では水を適度に滞留させて電解質膜の乾燥を防止することが可能となり、出力性能を維持・安定化させることができる。
【図面の簡単な説明】
【００１２】
【図１】本発明の第１の実施形態に係る燃料電池用触媒層を有する燃料電池を模式的に示す断面図である。
【図２】図１に示す燃料電池の一部を模式的に示す斜視図である。
【図３】図１に示す燃料電池用触媒層の形成方法を示す説明図である。
【図４】図１に示す燃料電池用触媒層の他の形成方法を示す説明図である。
【図５】図４に示す燃料電池用触媒層作成装置の側面図である。
【図６】図１に示す燃料電池用触媒層の他の形成方法を示す説明図である。
【図７】本発明の第２の実施形態に係る燃料電池用触媒層の密度分布を説明するための模式図である。
【図８】図７に示す燃料電池用触媒層の密度分布の詳細を説明するための模式図である。
【図９】本発明の第３の実施形態に係る燃料電池用触媒層の密度分布を説明するための模式図である。
【図１０】本発明の第４の実施形態に係る燃料電池用触媒層の密度分布を説明するための模式図である。
【発明を実施するための形態】
【００１３】
以下、図面を参照しつつ本発明に係る燃料電池用触媒層の実施形態について説明する。
【００１４】
（第１の実施形態）
図１から図６を用いて本発明の第１の実施形態に係る燃料電池用触媒層の詳細を説明する。
【００１５】
図１及び図２に示すように、燃料電池（単セル）１は、膜／電極接合体 (接合体)１０と、当該膜／電極接合体１０を挟持するセパレータ２０Ａ，２０Ｂとを含んで構成されている。
膜／電極接合体１０は、電解質膜１１と、当該電解質膜の両面に形成された触媒層１２Ａ，１２Ｂと、各触媒層１２Ａ，１２Ｂの電解質膜１１側とは反対側の面に形成されたガス拡散層（ＧＤＬ）１３Ａ，１３Ｂとを備えている。
また、セパレータ２０Ａ，２０Ｂは、ガス拡散層１３Ａ，１３Ｂに沿って反応ガスを流通させる流路２０Ａａ，２０Ｂａを備えている。流路２０Ａａ，２０Ｂａは、セパレータ２０Ａ，２０Ｂのガス拡散層１３Ａ，１３Ｂに対向する面に当該流路２０Ａａ，２０Ｂａの壁面をなすリブ２０Ａｂ，２０Ｂｂを設けることにより形成されている。本実施形態においてリブ２０Ａｂ，２０Ｂｂは、反応ガスの入口２０ｃ側から出口２０ｄ側へ向かう方向（ガス流れ方向Ｇ。図３，図７等参照）に沿って延び相互に離間して複数並設されている。
【００１６】
この本実施形態の燃料電池１において、触媒層１２Ａ，１２Ｂは、それぞれセパレータ２０Ａ，２０Ｂの流路２０Ａａ，２０Ｂａに対向する部分に形成された第一の触媒層１２Ａａ，１２Ｂａと、リブ２０Ａｂ，２０Ｂｂに対向する部分に形成された第二の触媒層１２Ａｂ，１２Ｂｂとを備えている。なお、本実施形態では電解質膜１１の両側に配置される触媒層１２Ａ，１２Ｂに第一の触媒層１２Ａａ，１２Ｂａと第二の触媒層１２Ａｂ，１２Ｂｂとを形成したが、もちろん、電解質膜１１のいずれか一方の面に配置される触媒層１２Ａまたは１２Ｂのみを第一の触媒層１２Ａａまたは１２Ｂａと第二の触媒層１２Ａｂまたは１２Ｂｂで形成してもよい。
【００１７】
第二の触媒層１２Ａｂ，１２Ｂｂは第一の触媒層１２Ａａ，１２Ｂａよりも空隙率が大きく、第一の触媒層１２Ａａ，１２Ｂａの空隙率は、所望の保水性が得られるように（少なくとも電解質膜が乾燥することを防止できるように）設定され、第二の触媒層１２Ａｂ，１２Ｂｂの空隙率は所望の排水性が得られるように（少なくともガス拡散を阻害することを防止できるように）設定されている。
第一の触媒層１２Ａａの空隙率と第二の触媒層１２Ａｂの空隙率との比率、および第一の触媒層１２Ｂａの空隙率と第二の触媒層１２Ｂｂの空隙率との比率は、相互に同一であってもよく、異なっていてもよい。この第一の触媒層１２Ａａ，１２Ｂａの空隙率と第二の触媒層１２Ａｂ，１２Ｂｂの空隙率との比率は、第一の触媒層１２Ａａ，１２Ｂａ、第二の触媒層１２Ａｂ，１２Ｂｂの物性（親水性など）等を考慮して決定すればよい。
【００１８】
以下、触媒層１２Ａ，１２Ｂ、ガス拡散層１３Ａ，１３Ｂ、セパレータ２０Ａ，２０Ｂ、流路２０Ａａ，２０Ｂａ、リブ２０Ａｂ，２０Ｂｂ、第一の触媒層１２Ａａ，１２Ｂａ、第二の触媒層１２Ａｂ，１２Ｂｂを総称する場合は、それぞれ、触媒層１２、ガス拡散層１３、セパレータ２０、流路２０ａ、リブ２０ｂ、第一の触媒層１２ａ、第二の触媒層１２ｂと称するものとする。
【００１９】
本実施形態において、第一，第二の触媒層１２ａ，１２ｂは例えば以下のいずれかの方法により形成することができる。
【００２０】
＜第一の形成方法（インクジェット・スプレー塗布法）＞
図３に示すように、第一の触媒層１２ａに対応する触媒インクを吐出する複数（ｎ個）の第一インジェクタ３１ａ、及び、第二の触媒層１２ｂに対応する触媒インクを吐出する複数（ｎ＋１個）の第二インジェクタ３１ｂを、セパレータ２０の流路２０ａ及びリブ２０ｂにそれぞれ対応するように交互に並べ、これら第一，第二インジェクタ３１ａ，３１ｂをガス流れ方向Ｇに沿って移動させつつ当該第一，第二インジェクタ３１ａ，３１ｂからそれぞれ触媒インクを電解質膜１１の表面に吐出させることで、流路２０ａ及びリブ２０ｂに対向する位置にそれぞれ第一の触媒層１２ａ及び第二の触媒層１２ｂを形成する。このようにして、電解質膜１１の一方の面には第一，第二の触媒層１２Ａａ，１２Ａｂを形成し、電解質膜１１の他方の面には第一，第二の触媒層１２Ｂａ，１２Ｂｂを形成する。
【００２１】
＜第二の形成方法（コーム塗布法）＞
まず、図４（ａ）に示すように、第二の触媒層塗布ロール（ブレード）４１により第二の触媒層１２ｂに対応する触媒インクを電解質膜１１の表面の所望の範囲に塗布する。続いて、図４（ｂ）及び図５に示すように、セパレータ２０の各流路２０ａに対向する位置にそれぞれ第一の触媒層１２ａに対応する触媒インクを吐出するインジェクタ４２を配置するとともに、セパレータ２０の各流路２０ａに対向して設けられた複数の歯を有するコーム４３を、各々の歯がインジェクタ４２のガス流れ方向Ｇの下流側に位置するように配置して、インジェクタ４２及びコーム４３をガス流れ方向Ｇに沿って移動させ、コーム４３の歯で第二の触媒層１２ｂを削り取りつつインジェクタ４２から触媒インクを吐出させることで、図４（ｃ）に示すように流路２０ａ及びリブ２０ｂに対向する位置にそれぞれ第一の触媒層１２ａ及び第二の触媒層１２ｂを形成する。このようにして、電解質膜１１の一方の面には第一，第二の触媒層１２Ａａ，１２Ａｂを形成し、電解質膜１１の他方の面には第一，第二の触媒層１２Ｂａ，１２Ｂｂを形成する。
【００２２】
＜第三の形成方法（マスキングロール・ブレード塗布法）＞
まず、図６（ａ）に示すように、リブ２０ｂに対向する位置に形成された貫通孔５１ａを有する第一のマスクシート５１を電解質膜１１の表面に被せ、この状態で図６（ｂ）に示すように第二の触媒層１２ｂに対応する触媒インクを第二の触媒層塗布ロール（ブレード）５２により塗布した後、第一のマスクシート５１を除去する。これにより、図６（ｃ）に示すようにリブ２０ｂに対向する位置に第二の触媒層１２ｂが形成される。続いて、図６（ｄ）に示すように、流路２０ａに対向する位置に形成された貫通孔５３ａを有する第二のマスクシート５３を第二の触媒層１２ｂが形成された電解質膜１１の表面に被せ、この状態で第一の触媒層１２ａに対応する触媒インクを第一の触媒層塗布ロール（ブレード）５４により塗布した後、第二のマスクシート５３を除去する。これにより、図６（ｅ）に示すように、第二の触媒層１２ｂに隣接して流路２０ａに対向する位置に第一の触媒層１２ａが形成される。このようにして、電解質膜１１の一方の面には第一，第二の触媒層１２Ａａ，１２Ａｂを形成し、電解質膜１１の他方の面には第一，第二の触媒層１２Ｂａ，１２Ｂｂを形成する。
【００２３】
この本実施形態の燃料電池１において、水素ガスが流路２０Ａａを通りガス拡散層１３Ａによって拡散されて触媒層１２Ａへ供給され、酸素ガス（空気）が流路２０Ｂａを通りガス拡散層１３Ｂによって拡散されて触媒層１２Ｂへ供給されることで、電気化学反応が起こり、発電が行われる。このとき、水素ガスと酸素ガスとの反応により液体（生成水）が生成されるが、この生成水は、上述した通り、触媒層１２の流路２０ａに対向している部分で排水されやすく、触媒層１２のリブ２０ｂに対向している部分で滞留しやすい。
【００２４】
本実施形態では、生成水が排水されやすい流路２０ａに対向する第一の触媒層１２ａを高密度化して保水性を向上させる一方、生成水が滞留しやすいリブ２０ｂに対向する第二の触媒層１２ｂを低密度化して排水性を向上させるというように、水が滞留しにくい部分（流路２０ａに対向する部分）と滞留しやすい部分（リブ２０ｂに対向する部分）とで触媒層１２の空隙率を変化させ、従来不均一であった燃料電池１の内部における水が滞留しにくい部分と滞留しやすい部分との水分布を均一化するようにした。
【００２５】
これにより、水が滞留しやすい部分においては水の滞留によるガス拡散の阻害とそれに伴う出力の低下とを防ぐとともに、水が排出されやすい部分においては電解質膜１１の保湿性を向上させて出力性能の低下を防止し、出力性能を安定化させることが可能となった。
【００２６】
なお、本発明は上述した例に限定されるものではなく、本発明の趣旨を逸脱しない範囲で種々の変更が可能である。例えば、上述した第二，第三の形成方法では、それぞれまず第二の触媒層１２ｂに対応する触媒インクを塗布し、その後第一の触媒層１２ａに対応する触媒インクを塗布する例を示したが、まず、第一の触媒層１２ａに対応する触媒インクを塗布し、その後第二の触媒層１２ｂに対応する触媒インクを塗布するようにしてもよい。
【００２７】
（第２の実施形態）
以下、図７及び図８を用いて本発明の第２の実施形態に係る燃料電池用の詳細を説明する。
【００２８】
本実施形態に係る発明は、第１の実施形態に係る発明に比較して、第一の触媒層１２ａ、第二の触媒層１２ｂの構造（密度分布）が異なり、第一の触媒層１２ａ及び第二の触媒層１２ｂの空隙率をそれぞれガス流れ方向Ｇの上流側（入口２０ｃ側）から下流側（出口２０ｄ側）へ向かって変化させている。より具体的には、図７に示すように、第一の触媒層１２ａ及び第二の触媒層１２ｂについて、それぞれガス流れ方向Ｇの上流側（入口２０ｃ側）の空隙率に対して下流側（出口２０ｄ側）の空隙率を大きくしている。
その他の構造については上述した第１の実施形態に係る燃料電池と同様であり、重複する説明は省略する。
【００２９】
以下、図８を用いて本実施形態の触媒層１２の形成方法を説明する。
本実施形態では、第１の実施形態において説明した第一の形成方法を利用して触媒層１２を形成する。具体的には、図８に示すように、触媒層１２をガス流れ方向Ｇに沿って例えば三つの領域（第一領域Ａ１、第二領域Ａ２、第三領域Ａ３）に分け、まず、第一領域Ａ１，第二領域Ａ２及び第三領域Ａ３に対して第一のインジェクタ３１ａ及び第二のインジェクタ３１ｂによりそれぞれ触媒インクを塗布し、続いて、第一領域Ａ１及び第二領域Ａ２のみに対して第一のインジェクタ３１ａ及び第二のインジェクタ３１ｂによりそれぞれ触媒インクを塗布し、最後に、第一領域Ａ１のみに対して第一のインジェクタ３１ａ及び第二のインジェクタ３１ｂによりそれぞれ触媒インクを塗布する。
すなわち、第一の触媒層１２ａ及び第二の触媒層１２ｂにそれぞれ対応する触媒インクを塗布する回数を、第一領域Ａ１，第二領域Ａ２，第三領域Ａ３で変えることにより、第一の触媒層１２ａ及び第二の触媒層１２ｂの空隙率をガス流れ方向Ｇに沿って段階的に変化させるようにした。
【００３０】
この本実施形態の燃料電池１によれば、上述した第１の実施形態で説明した燃料電池１により得られる効果に加え、反応ガスの出口２０ｄ側に向かうほど発電反応による生成水量が増えることに対応して、反応ガスの入口２０ｃ側から出口２０ｄ側に向かって触媒層１２の空隙率を徐々に大きくする（低密度化する）ことで、燃料電池１内部の水分布を均一化することができ、より的確に、水が滞留しやすい部分においては水の滞留によるガス拡散の阻害と、それに伴う出力の低下とを防ぐとともに、水が滞留しにくい部分においては電解質膜１１の保湿性を向上させて出力性能の低下を防止し、出力性能を安定化させることが可能となる。
【００３１】
なお、本発明は上述した実施形態に限定されるものではなく、第一の触媒層１２ａ、第二の触媒層１２ｂの少なくとも一方について、空隙率がガス流れ方向Ｇに沿ってガス流れ方向Ｇの上流側（入口２０ｃ側）よりも下流側（出口２０ｄ側）が大きくなるようにすればよい。また、流路２０ａおよびリブ２０ｂの少なくとも一方に対向する部分の触媒層１２の空隙率がガス流れ方向Ｇに沿ってガス流れ方向Ｇの上流側（入口２０ｃ側）よりも下流側（出口２０ｄ側）が大きくなるようにすればよい。
【００３２】
従って、例えば、第１の実施形態で説明した第三の形成方法を利用して、第一のマスクシート５１に第二の触媒層１２ｂに対応する触媒インクが入口２０ｃ側で幅が狭く出口２０ｄ側で幅が広く塗布されるように貫通孔を形成し、第二のマスクシート５３に第一の触媒層１２ａに対応する触媒インクが入口２０ｃ側で幅が広く出口２０ｄ側で幅が狭く塗布されるように貫通孔を形成することにより、流路１２ａに対向する部分およびリブ１２ｂに対向する部分の触媒層１２の空隙率をガス流れ方向Ｇに沿って徐々に変化させるようにしてもよい。
【００３３】
（第３の実施形態）
以下、図９を用いて本発明の第３の実施形態に係る燃料電池用触媒層の詳細を説明する。
【００３４】
本実施形態に係る発明は、第１の実施形態に係る発明に比較して、第一の触媒層１２ａ、第二の触媒層１２ｂの構造（密度分布）が異なり、鉛直方向Ｖの上部側から下部側へ向かって第一の触媒層１２ａ及び第二の触媒層１２ｂの空隙率をそれぞれ変化させている。より具体的には、図９に示すように、第一の触媒層１２ａ及び第二の触媒層１２ｂについて、それぞれ鉛直方向Ｖの上部側の空隙率に対して下部側の空隙率を大きくしている。
その他の構造については上述した第１の実施形態に係る燃料電池用触媒層と同様であり、重複する説明は省略する。
【００３５】
以下、本実施形態の触媒層１２の形成方法を説明する。
本実施形態では、第１の実施形態において説明した第一の形成方法を利用して触媒層１２を形成する。具体的には、上部側に配置された第一インジェクタ３１ａから吐出される触媒インクに含まれる触媒の密度に対して下部側に配置された第一インジェクタ３１ａから吐出される触媒インクに含まれる触媒の密度が小さくなるように、また、上部側に配置された第二インジェクタ３１ｂから吐出される触媒インクに含まれる触媒の密度に対し下部側に配置された第二インジェクタ３１ｂから吐出される触媒インクに含まれる触媒の密度が小さくなるようにインクジェット装置を構成し、第一の触媒層１２ａ及び第二の触媒層１２ｂを塗布することにより、第一の触媒層１２ａ及び第二の触媒層１２ｂの空隙率を鉛直方向Ｖに沿って変化させるようにした。
【００３６】
この本実施形態の燃料電池１によれば、上述した第１の実施形態で説明した燃料電池１により得られる効果に加え、燃料電池１の内部で生成された水が重力により下部へ移動しやすいことに対応して、触媒層１２の空隙率を上部側から下部側に向かって徐々に大きくすることで、燃料電池１内部の水分布を均一化することができ、より的確に、水が滞留しやすい部分においては水の滞留によるガス拡散の阻害と、それに伴う出力の低下とを防ぐとともに、水が滞留しにくい部分においては電解質膜１１の保湿性を向上させて出力性能の低下を防止し、出力性能を安定化させることが可能となる。
【００３７】
なお、本発明は上述した実施形態に限定されるものではなく、第一の触媒層１２ａ、第二の触媒層１２ｂの少なくとも一方について、空隙率が鉛直方向Ｖに沿って鉛直方向Ｖの上部側よりも下部側が大きくなるようにすればよい。また、流路２０ａおよびリブ２０ｂの少なくとも一方に対向する部分の触媒層１２の空隙率が鉛直方向Ｖに沿って鉛直方向Ｖの上部側よりも下部側が大きくなるようにすればよい。
【００３８】
従って、例えば、第１の実施形態で説明した第三の形成方法を利用して、第一のマスクシート５１を第二の触媒層１２ｂに対応する触媒インクが上部側で幅が狭く下部側で幅が広く塗布されるように形成し、第二のマスクシート５２を第一の触媒層１２ａに対応する触媒インクが上部側で幅が広く下部側で幅が狭く塗布されるように形成することにより、流路１２ａに対向する部分およびリブ１２ｂに対向する部分の触媒層１２の空隙率を鉛直方向Ｖに沿って変化させるようにしてもよい。
【００３９】
（第４の実施形態）
以下、図１０を用いて本発明の第４の実施形態に係る燃料電池用触媒層の詳細を説明する。
【００４０】
本実施形態に係る発明は、第１の実施形態に係る発明に比較して、第一の触媒層１２ａ、第二の触媒層１２ｂの構造（密度分布）が異なり、ガス流れ方向Ｇの上流側から下流側へ向かって第一の触媒層１２ａ及び第二の触媒層１２ｂの空隙率をそれぞれ変化させているとともに、鉛直方向Ｖの上部側から下部側へ向かって第一の触媒層１２ａ及び第二の触媒層１２ｂの空隙率をそれぞれ変化させている。より具体的には、図１０に示すように、第一の触媒層１２ａ及び第二の触媒層１２ｂについて、それぞれガス流れ方向Ｇの上流側に対して下流側の空隙率を小さく、且つ鉛直方向Ｖの上部側に対して下部側の空隙率を小さくしている。
その他の構造については上述した第１の実施形態に係る燃料電池用触媒層と同様であり、重複する説明は省略する。
【００４１】
以下、本実施形態の触媒層１２の形成方法を説明する。
本実施形態では、第１の実施形態において説明した第一の形成方法を利用して触媒層１２を形成する。具体的には、第３の実施形態で説明したように、第一の触媒層１２ａ及び第二の触媒層１２ｂにそれぞれ対応する触媒インクを塗布する際に、上部側に配置された第一インジェクタ３１ａから吐出される触媒インクに含まれる触媒の密度に対し下部側に配置された第一インジェクタ３１ａから吐出される触媒インクに含まれる触媒の密度が小さくなるように、また、上部側に配置された第二インジェクタ３１ｂから吐出される触媒インクに含まれる触媒の密度に対し下部側に配置された第二インジェクタ３１ｂから吐出される触媒インクに含まれる触媒の密度が小さくなるように構成することにより、第一の触媒層１２ａ及び第二の触媒層１２ｂの空隙率を鉛直方向Ｖに沿って変化させるとともに、図８に示し第２の実施形態で説明したように、触媒層１２をガス流れ方向Ｇに沿って例えば三つの領域（第一領域Ａ１、第二領域Ａ２、第三領域Ａ３）に分け、第一の触媒層１２ａ及び第二の触媒層１２ｂにそれぞれ対応する触媒インクを塗布する回数を、第一領域Ａ１，第二領域Ａ２，第三領域Ａ３で変えることにより、第一の触媒層１２ａ及び第二の触媒層１２ｂの空隙率をガス流れ方向Ｇに沿って段階的に変化させるようにした。
【００４２】
この本実施形態の燃料電池１によれば、上述した第１の実施形態で説明した燃料電池１により得られる効果に加え、反応ガスの出口２０ｄ側に向かうほど発電反応による生成水量が増えることに対応して、反応ガスの入口２０ｃ側から出口２０ｄ側に向かって触媒層１２の空隙率を徐々に大きくする（低密度化する）とともに、燃料電池１の内部で生成された水が重力により下部へ移動しやすいことに対応して、触媒層１２の空隙率を上部側から下部側に向かって徐々に大きくすることで、燃料電池１内部の水分布を均一化することができ、より的確に、水が滞留しやすい部分においては水の滞留によるガス拡散の阻害と、それに伴う出力の低下とを防ぐとともに、水が滞留しにくい部分においては電解質膜１１の保湿性を向上させて出力性能の低下を防止し、出力性能を安定化させることが可能となる。
【００４３】
なお、本発明は上述した実施形態に限定されるものではなく、第一の触媒層１２ａ、第二の触媒層１２ｂの少なくとも一方について、空隙率がガス流れ方向Ｇに沿って上流側（入口２０ｃ側）よりも下流側（出口２０ｄ側）が大きくなるようにそれぞれ変化させるとともに、鉛直方向Ｖに沿って上部側よりも下部側が大きくなるようにすればよい。また、流路２０ａおよびリブ２０ｂの少なくとも一方に対向する部分の触媒層１２の空隙率がガス流れ方向Ｇに沿って上流側（入口２０ｃ側）よりも下流側（出口２０ｄ側）が大きくなるようにそれぞれ変化させるとともに、鉛直方向Ｖに沿って上部側よりも下部側が大きくなるようにすればよい。
【００４４】
従って、例えば、第１の実施形態で説明した第三の形成方法を利用して、第一のマスクシート５１を第二の触媒層１２ｂに対応する触媒インクが入口２０ｃ側で幅が狭く出口２０ｄ側で幅が広く塗布されるように、且つ第二の触媒層１２ｂに対応する触媒インクが上部側で幅が狭く下部側で幅が広く塗布されるように形成するとともに、第二のマスクシート５２を第一の触媒層１２ａに対応する触媒インクが入口２０ｃ側で幅が広く出口２０ｄ側で幅が狭く塗布されるように、且つ第一の触媒層１２ａに対応する触媒インクが上部側で幅が広く下部側で幅が狭く塗布されるように形成して、流路１２ａに対向する部分およびリブ１２ｂに対向する部分の触媒層１２の空隙率をガス流れ方向Ｇ及び鉛直方向Ｖに沿って変化させるようにしてもよい。
【産業上の利用可能性】
【００４５】
本発明は、燃料電池用触媒層に適用することができる。
【符号の説明】
【００４６】
１…燃料電池、１０…膜／電極接合体、１１…電解質膜、１２Ａ，１２Ｂ，１２…触媒層、１２Ａａ，１２Ｂａ，１２ａ…第一の触媒層、１２Ａｂ，１２Ｂｂ，１２ｂ…第二の触媒層、１３Ａ，１３Ｂ，１３…ガス拡散層、２０Ａ，２０Ｂ，２０…セパレータ、２０Ａａ，２０Ｂａ，２０ａ…流路、２０Ａｂ，２０Ｂｂ，２０ｂ…リブ、２０ｃ…入口、２０ｄ…出口、３１ａ…第一インジェクタ、３１ｂ…第二インジェクタ、４１…第二の触媒層塗布ロール、４２…インジェクタ、４３…コーム、５１…第二の触媒層用マスクシート、５２…第二の触媒層塗布ロール、５３…第一の触媒層用マスクシート、５４…第一の触媒層塗布ロール、Ａ１…第一領域、Ａ２…第二領域、Ａ３…第三領域
【図１】
2018097948.tif 000003
【図２】
2018097948.tif 000004
【図３】
2018097948.tif 000005
【図４】
2018097948.tif 000006
【図５】
2018097948.tif 000007
【図６】
2018097948.tif 000008
【図７】
2018097948.tif 000009
【図８】
2018097948.tif 000010
【図９】
2018097948.tif 000011
【図１０】
2018097948.tif 000012